(57)【要約】【課題】利用者への通知情報の提供を向上させる情報処理装置および情報処理方法を提供すること。【解決手段】実施形態に係る情報処理装置は、取得部と、算出部と、通知部とを備える。取得部は、優先度が設定された通知情報を取得する。算出部は、情報提供先の情報処理負荷を示す通知値を算出する。通知部は、優先度と通知値とに応じて決定された通知情報を通知させる。【選択図】図１
2019158771.tif 000002
【特許請求の範囲】
【請求項１】
優先度が設定された通知情報を取得する取得部と、
情報提供先の情報処理負荷を示す通知値を算出する算出部と、
複数の前記通知情報の通知タイミングが競合した場合に、前記優先度と前記通知値とに応じて決定された通知情報を通知させる通知部と
を備えることを特徴とする情報処理装置。
【請求項２】
前記通知部は、
前記優先度が高い順に加算した前記通知値の加算値が通知許容値以下となる前記通知情報を通知させる
ことを特徴とする請求項１に記載の情報処理装置。
【請求項３】
運転者の運転負荷、運転支援装置の動作状態のうち少なくとも一方に基づいて前記通知許容値を変更する許容値変更部
を備えることを特徴とする請求項２に記載の情報処理装置。
【請求項４】
前記算出部は、
前記通知情報の種類毎に設定された係数を前記優先度に乗算することで前記通知値を算出する
ことを特徴とする請求項１〜３のいずれか一つに記載の情報処理装置。
【請求項５】
前記算出部は、
前記通知情報の情報量に基づいて前記通知値を算出する
ことを特徴とする請求項１〜４のいずれか一つに記載の情報処理装置。
【請求項６】
前記通知部は、
前記通知情報に単独通知が含まれていた場合には、前記単独通知の通知情報のみを通知させる
ことを特徴とする請求項１〜５のいずれか一つに記載の情報処理装置。
【請求項７】
前記通知部は、
運転者の運転負荷が所定運転負荷よりも大きい場合には、前記優先度が所定優先度よりも低い通知情報を通知させない
ことを特徴とする請求項１〜６のいずれか一つに記載の情報処理装置。
【請求項８】
運転者の運転負荷、運転支援装置の動作状態および通知情報の通知が有効な残り期間を示す有効残量情報のうち少なくとも一つに基づいて前記優先度を変更する優先度変更部
を備えることを特徴とする請求項１〜７のいずれか一つに記載の情報処理装置。
【請求項９】
優先度が設定された通知情報を取得する取得工程と、
情報提供先の情報処理負荷を示す通知値を算出する算出工程と、
複数の前記通知情報の通知タイミングが競合した場合に、前記優先度と前記通知値に応じて決定された通知情報を通知させる通知工程と
を含むことを特徴とする情報処理方法。
【発明の詳細な説明】
【技術分野】
【０００１】
開示の実施形態は、情報処理装置および情報処理方法に関する。
【背景技術】
【０００２】
従来、運転者の余裕度に応じて、車両における通知情報の通知範囲を制限する情報処理装置が知られている（例えば、特許文献１参照）。
【先行技術文献】
【特許文献】
【０００３】
【特許文献１】特開２０１２−１９８０５２号公報
【発明の概要】
【発明が解決しようとする課題】
【０００４】
しかしながら、上記情報処理装置では、各通知情報の優先度に応じて通知される通知情報が設定されるため、通知範囲に余裕がある場合であっても、優先度が低い通知情報は通知されない。そのため、上記情報処理装置では、通知情報の通知方法について改善の余地がある。
【０００５】
実施形態の一態様は、上記に鑑みてなされたものであって、利用者への通知情報の提供を向上させる情報処理装置および情報処理方法を提供することを目的とする。
【課題を解決するための手段】
【０００６】
実施形態の一態様に係る情報処理装置は、取得部と、算出部と、通知部とを備える。取得部は、優先度が設定された通知情報を取得する。算出部は、情報提供先の情報処理負荷を示す通知値を算出する。通知部は、優先度と通知値とに応じて決定された通知情報を通知させる。
【発明の効果】
【０００７】
実施形態の一態様によれば、利用者への通知情報の提供を向上させることができる。
【図面の簡単な説明】
【０００８】
【図１】図１は、実施形態に係る情報処理方法を説明する概略図である。
【図２】図２は、実施形態に係る情報処理装置の概略を説明するブロック図である。
【図３】図３は、通知情報の通知値の加算値を示す図である。
【図４】図４は、実施形態に係る通知情報設定制御を説明するフローチャートである。
【図５】図５は、変形例に係る情報処理装置の概略を説明するブロック図である。
【図６】図６は、変形例に係る情報処理装置の概略を説明するブロック図である。
【発明を実施するための形態】
【０００９】
以下、添付図面を参照して、本願の開示する情報処理装置および情報処理方法を説明する。なお、以下に示す実施形態によりこの発明が限定されるものではない。
【００１０】
まず、実施形態に係る情報処理装置によって実行される情報処理方法の概要について図１を参照し説明する。図１は、実施形態に係る情報処理方法を説明する概略図である。
【００１１】
情報処理装置１（図２参照）は、複数の車載器３０（図２参照）から通知情報を取得可能である。情報処理装置１は、複数の通知情報の通知タイミングが競合した場合には、通知情報の優先度、および通知情報を数値化した通知値に基づいて、ユーザ、例えば、ドライバに通知する通知情報を調停し、設定（決定）する。そして、情報処理装置１は、設定した通知情報を表示装置４０（図２参照）によって通知させる。
【００１２】
なお、ここでは、情報処理装置１は、通知方法として、通知情報を表示装置４０に表示させる場合を一例として説明するが、これに限られることはなく、音声により通知情報を通知させてもよい。
【００１３】
優先度は、通知情報毎に予め設定されており、複数の通知情報の通知タイミングが競合した場合に、表示装置４０に表示させる通知情報を決める判定基準となる値であり、情報の重要度を示す指標である。優先度は、数値が小さいほど優先度が高く、優先度が高い通知情報は、優先的に表示装置４０に表示される。
【００１４】
通知値は、情報提供先の情報処理負荷を示す値であり、ユーザが情報を扱う場合の負荷を示す指標である。通知値は、通知情報毎に予め設定された値であり、複数の通知情報の通知タイミングが競合した場合に、表示装置４０に表示させる通知情報の通知範囲を決める情報であり、通知範囲の判定基準となる値である。例えば、通知値は、ユーザが慎重に理解する必要を示す重要度や、ユーザが理解するために必要な負荷の大きさを示す理解難度が高い程大きくなる。
【００１５】
情報処理装置１は、複数の通知情報の通知タイミングが競合した場合には、通知タイミングが競合した通知情報の優先度が最も高い通知情報を表示装置４０に表示させる。また、情報処理装置１は、優先度が高い順に適用し、通知許容値を用いた所定条件を満たす通知情報を表示装置４０に表示させる。具体的には、情報処理装置１は、優先度が高い順に通知情報の通知値を加算した加算値を算出する。そして、加算値が通知許容値以下となる通知情報を表示装置４０に表示させる。
【００１６】
例えば、通知情報Ａ、通知情報Ｂおよび通知情報Ｃの通知タイミングが競合したとする。通知情報Ａ〜Ｃの優先度は、通知情報Ａが最も高く、通知情報Ｂ、通知情報Ｃの順に低くなる。また、例えば、通知情報Ａの通知値は、「５０」であり、通知情報Ｂの通知値は、「４０」であり、通知情報Ｃの通知値は、「３０」である。また、通知許容値は、例えば、「１００」である。
【００１７】
情報処理装置１は、優先度が最も高い通知情報Ａを、優先的に表示装置４０によって通知させる。なお、通知許容値は、１つの通知情報の通知値よりも大きい値に設定されている。そのため、優先度が最も高い通知情報Ａは、表示装置４０によって通知される。
【００１８】
情報処理装置１は、通知情報Ａの通知値と、優先度が次に高い通知情報Ｂの通知値とを加算した加算値が、通知許容値以下であるか否かを判定する。この場合、通知情報Ｂの通知値は、「４０」であり、加算値は、「９０（＝５０＋４０）」であり、加算値は、通知許容値よりも小さい。そのため、情報処理装置１は、通知情報Ｂも表示装置４０によって通知させる。
【００１９】
また、情報処理装置１は、通知情報Ａの通知値と、通知情報Ｂの通知値と、優先度が最も低い通知情報Ｃの通知値とを加算した加算値が、通知許容値以下であるか否かを判定する。この場合、通知情報Ｃの通知値は、「３０」であり、加算値は、「１２０（＝５０＋４０＋３０）」であり、加算値は、通知許容値よりも大きい。そのため、情報処理装置１は、通知情報Ｃを表示装置４０によって通知させない。
【００２０】
従って、情報処理装置１は、優先度が最も高い通知情報Ａと、優先度が２番目に高い通知情報Ｂとを表示装置４０によって表示させ、優先度が最も低い通知情報Ｃを表示装置４０によって表示させない。
【００２１】
このように、情報処理装置１は、複数の通知情報の通知タイミングが競合した場合に、通知情報の優先度と、通知値とに応じて決定された通知情報を表示装置４０によって通知させる。これにより、情報処理装置１は、通知情報の通知タイミングが競合した場合に、優先度が高い順に通知情報を多く表示装置４０に表示させることができ、利用者への通知情報の提供を向上させることができる。また、情報処理装置１は、例えば、優先度が低い通知情報を表示装置４０によって通知させないため、ドライバディストラクションを抑制することができる。
【００２２】
ここで、実施形態に係る情報処理装置１について図２を参照し説明する。図２は、実施形態に係る情報処理装置１の概略を説明するブロック図である。
【００２３】
情報処理装置１は、入力部２と、出力部３と、記憶部４と、制御部５とを備える。
【００２４】
入力部２には、車載器３０から通知情報が入力される。車載器３０は、複数設けられる。車載器３０は、例えば、カーナビゲーション装置や、オーディオ装置や、運転支援装置や、交通情報受信装置である。
【００２５】
運転支援装置は、ヒヤリハットに関する通知情報を入力部２に送信する。交通情報受信装置は、制限速度などに関する道路情報や、渋滞情報を受信し、受信した情報を入力部２に送信する。
【００２６】
出力部３は、表示装置４０に表示させる通知情報に関する信号を表示装置４０に出力する。表示装置４０は、例えば、ヘッドアップディスプレイや、メータディスプレイや、センターディスプレイである。なお、表示装置４０は、１つであっても、複数であってもよい。
【００２７】
表示装置４０が複数設けられている場合には、情報処理装置１は、各表示装置４０における通知情報をそれぞれ設定し、各表示装置４０に同一、または異なる通知情報を表示させることができる。すなわち、情報処理装置１は、表示装置４０毎に表示させる通知情報を優先度に基づいて調停し、調停結果に基づいて通知情報を表示させる。
【００２８】
記憶部４は、例えばＲＡＭ（Random  Access  Memory）やデータフラッシュなどの記憶デバイスである。記憶部４は、各種プログラムの情報等を記憶する。
【００２９】
制御部５は、例えば、ＣＰＵ（Central  Processing  Unit）、ＲＯＭ（Read  Only  Memory）、ＲＡＭ、入出力ポートなどを有するマイクロコンピュータや各種の回路を含む。なお、制御部５は、一部または全部がＡＳＩＣ（Application  Specific  Integrated  Circuit）やＦＰＧＡ（Field  Programmable  Gate  Array）等のハードウェアで構成されてもよい。
【００３０】
制御部５は、ＲＯＭに記憶されたプログラム（図示略）をＲＡＭを作業領域として使用して実行することにより機能する複数の処理部を備える。具体的には、制御部５は、取得部１０と、判定部１１と、算出部１２と、設定部１３と、通知部１４とを備える。制御部５は、複数の制御部によって構成されてもよく、各処理部は複数の処理部によって構成されてもよく、統合されて構成されてもよい。
【００３１】
取得部１０は、入力部２を介して車載器３０から通知情報を取得する。
【００３２】
判定部１１は、通知情報が取得された場合に、複数の通知情報の通知タイミングが競合するか否かを判定する。判定部１１は、複数の通知情報の通知タイミングが競合する場合には、各通知情報の優先度を判定し、いずれの優先度が高いかを判定する。
【００３３】
また、判定部１１は、優先度が高い順に適用し、通知許容値を用いた所定条件を満たすか否かを判定する。具体的には、判定部１１は、後述する算出部１２によって算出された加算値が、通知許容値以下であるか否かを判定する。判定部１１は、加算値が変更される度、すなわち加算値が算出される度に、加算値が通知許容値以下であるか否かを判定する。
【００３４】
算出部１２は、複数の通知情報の通知タイミングが競合する場合には、通知タイミングが競合する通知情報の優先度に係数をそれぞれ乗算し、通知タイミングが競合する通知情報毎に通知値を算出する。係数は、通知情報の種類毎に予め設定された値である。
【００３５】
また、算出部１２は、通知タイミングが競合する通知情報の優先度に基づき、優先度が高い順に適用した通知情報の通知値の加算値を算出する。具体的には、算出部１２は、優先度が高い順に通知情報の通知値を加算して加算値を算出する。算出部１２は、優先度が高い順に加算する通知情報を増加させて、加算値を算出する。
【００３６】
まず、算出部１２は、優先度が最も高い通知情報の通知値と、優先度が２番目に高い通知情報の通知値とを加算した加算値を算出する。また、加算した加算値が判定部１１によって通知許容値以下であると判定された場合には、算出部１２は、優先度が最も高い通知情報の通知値と、優先度が２番目に高い通知情報の通知値と、優先度が３番目に高い通知情報の通知値とを加算した加算値を算出する。このように、算出部１２は、優先度が高い順に加算する通知情報を増加させて加算値を算出する。
【００３７】
設定部１３は、表示装置４０に表示させる通知情報を設定する。設定部１３は、複数の通知情報の通知タイミングが競合しない場合には、取得された通知情報を表示装置４０に表示させる通知情報として設定する。
【００３８】
設定部１３は、複数の通知情報の通知タイミングが競合する場合には、最も優先度が高い通知情報を表示装置４０に表示させる通知情報として設定する。さらに、設定部１３は、優先度が高い順に適用し、通知許容値を用いた所定条件を満たす通知情報を表示装置４０に表示させる通知情報を設定する。具体的には、設定部１３は、加算値が通知許容値以下となる通知情報を表示装置４０に表示させる通知情報として設定する。なお、通知許容値は、１つの通知情報の通知値よりも大きいため、最も優先度が高い通知情報の通知値のみを加算値とした場合には、通知許容値以下となる。従って、最も優先度が高い通知情報の通知値は通知許容値以下である。
【００３９】
通知部１４は、設定部１３によって設定された通知情報に関する信号を出力部３を介して表示装置４０に送信する。これにより、表示装置４０には、設定された通知情報が表示される。複数の通知情報の通知タイミングが競合した場合には、通知許容値を用いた所定条件を満たす通知情報、すなわち加算値が通知許容値以下となる通知情報が表示装置４０に表示される。
【００４０】
なお、複数の通知情報を表示装置４０に表示する場合には、例えば、優先度が最も高い通知情報が優先して表示され、優先度が低い通知情報は、表示装置４０の端に表示されたり、アイコン表示などにより簡易表示されたりする。これにより、複数の通知情報をドライバに提供しつつ、優先度が高い通知情報を表示装置４０で目立つように表示させることができる。
【００４１】
次に、情報処理装置１における通知情報の設定方法の一例について図３を参照し説明する。図３は、通知情報の通知値の加算値を示す図である。ここでは、通知情報の種類として、注意喚起情報、交通情報、エンタメ情報の通知タイミングが競合する場合を一例として説明する。また、許容通知値は、「１００」に設定されている。
【００４２】
注意喚起情報は、例えば、ヒヤリハット等の情報であり、運転時の運転手への注意喚起に関する情報であり、優先度が高い。注意喚起情報の優先度は、「３０」である。また、注意喚起情報に対する係数は、「１．５」である。この場合、注意喚起情報の通知値は、優先度と係数とを乗算した「４５」である。なお、優先度や、係数の値は一例であり、これに限られることはない。以下においても同様である。
【００４３】
交通情報は、例えば、制限速度や、渋滞等の情報であり、道路状況に関する情報であり、優先度は、注意喚起情報よりも低い。交通情報の優先度は、「５０」である。また、交通情報に対する係数は、「１．０」である。この場合、交通情報の通知値は、優先度と係数とを乗算した「５０」である。
【００４４】
エンタメ情報は、例えば、車両の周囲に存在する観光地、店舗や、車内で流れている曲名等のエンターテインメントに関する情報であり、優先度は、交通情報よりも低い。エンタメ情報の優先度は、「９０」である。また、エンタメ情報に対する係数は、「０．５」である。この場合、エンタメ情報の通知値は、優先度と係数とを乗算した「４５」である。
【００４５】
なお、例えば、エンタメ情報であっても、エンタメ情報の種類毎に異なる優先度が設定されている。
【００４６】
情報処理装置１は、上記した注意喚起情報、交通情報、およびエンタメ情報の通知情報が競合した場合に、優先度が最も高い注意喚起情報を通知情報として表示装置４０によって表示させる。
【００４７】
また、情報処理装置１は、優先度が最も高い注意喚起情報の通知値と、優先度が２番目に高い交通情報の通知値とを加算し、加算値を算出する。この場合の加算値は、「９５（＝４５＋５０）」であり、許容通知値「１００」よりも小さい。そのため、情報処理装置１は、注意喚起情報に加えて、交通情報を通知情報として表示装置４０によって表示させる。
【００４８】
また、情報処理装置１は、優先度が最も高い注意喚起情報の通知値と、優先度が２番目に高い交通情報の通知値と、優先度が最も低いエンタメ情報の通知値とを加算し、加算値を算出する。この場合の加算値は、「１４０（＝４５＋５０＋４５）」であり、許容通知値「１００」よりも大きい。そのため、情報処理装置１は、エンタメ情報を通知情報として表示装置４０によって表示させない。
【００４９】
次に、実施形態に係る通知情報設定制御について図４を参照し説明する。図４は、実施形態に係る通知情報設定制御を説明するフローチャートである。
【００５０】
情報処理装置１は、車載器３０から通知情報を取得し（Ｓ１０）、複数の通知情報の通知タイミングが競合するか否かを判定する（Ｓ１１）。
【００５１】
情報処理装置１は、複数の通知情報の通知タイミングが競合しない場合には（Ｓ１１：Ｎｏ）、取得した通知情報を表示装置４０に表示させる（Ｓ１２）。
【００５２】
情報処理装置１は、複数の通知情報の通知タイミングが競合する場合には（Ｓ１１：Ｙｅｓ）、通知タイミングが競合する通知情報の優先度に、各通知情報に対して設定された係数を乗算して、通知情報の通知値を算出する（Ｓ１３）。
【００５３】
情報処理装置１は、優先度が高い順に通知値を加算した加算値を算出する（Ｓ１４）。情報処理装置１は、加算値が通知許容値以下である場合には（Ｓ１５：Ｙｅｓ）、優先度が次に高い通知情報の通知値をさらに加算し、加算値を新たに算出する（Ｓ１４）。
【００５４】
情報処理装置１は、加算値が通知許容値よりも大きい場合には（Ｓ１５：Ｎｏ）、加算値が通知許容値以下となる通知情報を表示装置４０に表示させる（Ｓ１６）。これにより、複数の通知情報の通知タイミングが競合する通知情報のうち、優先度が高く、通知情報の通知値の加算値が通知許容値以下となる範囲の通知情報が表示装置４０に表示される。
【００５５】
情報処理装置１は、複数の通知情報の通知タイミングが競合した場合に、通知情報の優先度と、通知値とに基づき、通知情報を表示装置４０に表示させる。例えば、情報処理装置１は、加算値が通知許容値以下となる通知情報を表示装置４０に表示させる。
【００５６】
これにより、情報処理装置１は、優先度が高い順に多くの通知情報を表示装置４０に表示させることができ、ドライバへの通知情報の提供を向上させることができる。また、情報処理装置１は、加算値が通知許容値よりも大きくなる通知情報を表示装置４０に表示させないため、ドライバディストラクションを抑制することができる。
【００５７】
情報処理装置１は、通知情報の優先度に係数を乗算することで通知値を算出する。これにより、情報処理装置１は、通知情報の優先度を用いて通知値を算出することができ、複数の通知情報の通知タイミングが競合した場合に、優先度に対応する通知値を用いて表示装置４０に表示させる通知情報を設定することができる。そのため、情報処理装置１は、複数の通知情報の通知タイミングが競合した場合に、表示装置４０に表示させる通知情報の判定方法を複雑化することなく、表示装置４０に表示させる通知情報を設定することができる。また、情報処理装置１は、通知情報の種類が増加した場合に、係数を変更することで、表示装置４０に表示させる通知情報を設定することができる。従って、情報処理装置１は、通知情報の種類が増加した場合のメンテナンス性を向上させることができる。
【００５８】
上記実施形態の情報処理装置１は、優先度が高い順に適用し、通知許容値を用いた所定条件を満たすか否かを、優先度が高い順に通知情報の通知値が加算された加算値を算出することで判定したが、これに限られることはない。例えば、情報処理装置１は、通知許容値から、優先度が高い順に通知情報の通知値を減算することで、優先度が高い順に適用し、通知許容値を用いた所定条件を満たすか否かを判定してもよい。この場合、情報処理装置１は、通知許容値から、優先度が高い順に通知情報の通知値を減算し、減算した値が、例えば、「０」以上となる通知情報を表示装置４０によって通知させる。
【００５９】
例えば、図３と同様の通知情報の通知タイミングが競合した場合には、情報処理装置１は、通知許容値「１００」から注意喚起情報の通知値「４５」および交通情報の通知値「５０」を減算する。この場合、通知許容値から注意喚起情報、および交通情報の通知値を減算した値は、「５」であり、「０」よりも大きい。
【００６０】
また、情報処理装置１は、通知許容値「１００」から注意喚起情報の通知値「４５」、交通情報の通知値「５０」、エンタメ情報の通知値「４５」を減算する。この場合、通知許容値から注意喚起情報、交通情報およびエンタメ情報の通知値を減算した値は、「−４０」であり、「０」よりも小さい。
【００６１】
これらの結果に基づいて、情報処理装置１は、注意喚起情報および交通情報を表示装置４０によって通知させ、エンタメ情報を表示装置４０によって通知させない。これによっても、情報処理装置１は、上記実施形態と同様の効果を得ることができる。
【００６２】
また、上記実施形態の情報処理装置１は、通知情報の優先度と係数とを乗算して通知値を算出したが、これに限られることはない。情報処理装置１は、通知情報の優先度を通知値として用いてもよい。また、情報処理装置１は、優先度に関連せずに通知情報毎に設定された通知値を用いてもよい。
【００６３】
また、上記実施形態の情報処理装置１は、加算値が通知許容値以下である場合に、加算値を順次更新したが、これに限られることはない。情報処理装置１は、優先度が高い順に通知情報の通知値を加算した加算値を、加算する通知値の数に応じて、第１加算値、第２加算値などとして算出してもよい。
【００６４】
例えば、第１加算値は、優先度が最も高い通知情報の通知値と、優先度が２番目に高い通知情報の通知値とを加算した値である。また、第２加算値は、優先度が最も高い通知情報の通知値と、優先度が２番目に高い通知情報の通知値と、優先度が３番目に高い通知情報の通知値とを加算した値である。この場合、情報処理装置１は、各加算値が、通知許容値以下であるか否かを判定する。
【００６５】
変形例に係る情報処理装置１は、通知情報に応じて表示装置４０に表示させる通知情報の数を制限する。変形例に係る情報処理装置１は、通知情報に単独通知が含まれていた場合には、単独通知の通知情報のみを表示装置４０に表示させる。例えば、変形例に係る情報処理装置１は、複数の通知情報の通知タイミングが競合し、単独通知である通知情報の優先度が最も高い場合には、単独通知の通知情報のみを表示装置４０に表示させる。単独通知は、予め設定されており、車両接近等の警告に関する通知情報など、重要な通知情報が設定される。
【００６６】
また、変形例に係る情報処理装置１は、単独通知の通知情報の優先度が高くない場合、例えば、優先度が上位から３番目の場合には、優先度が３番目の通知情報の通知値を加算した加算値が許容通知値以下である場合であっても、単独通知の通知情報は表示させない。この場合、変形例に係る情報処理装置１は、優先度が高い通知情報の表示が終わった後に、単独通知の通知情報を表示させる。なお、例えば、優先度が上位から４番目の通知情報を加算した加算値が許容通知値以下である場合には、変形例に係る情報処理装置１は、優先度が４番目の通知情報を、優先度が３番目の通知情報の代わりに表示させてもよい。
【００６７】
これにより、変形例に係る情報処理装置１は、通知の重要度が高い単独通知の通知情報のみを表示させることで、重要な通知情報をドライバが認識し易くすることができる。
【００６８】
また、変形例に係る情報処理装置１は、ドライバの運転負荷が所定運転負荷よりも高い場合には、優先度が所定優先度よりも低い通知情報を表示装置４０に表示させない。所定運転負荷は、予め設定された運転状況における負荷であり、車両が高速道路を走行しており、車速が高い場合や、ドライバの生体情報に基づいてドライバが緊張している場合などである。また、所定優先度は、予め設定された優先度であり、例えば、車両の走行に関連しないエンタメ情報の優先度である。なお、所定優先度は、複数の通知情報の通知タイミングが競合した場合の優先度の順位を示すものではない。すなわち、変形例に係る情報処理装置１は、相対的な優先度の順位に基づいて判定せず、通知情報が有する優先度が所定優先度よりも低いか否かを判定する。
【００６９】
これにより、変形例に係る情報処理装置１は、ドライバの運転負荷が高い場合に、ドライバディストラクションを抑制することができ、例えば、走行の安全性を向上させることができる。
【００７０】
また、変形例に係る情報処理装置１は、ドライバの運転負荷、運転支援装置の動作状態、および有効残量情報のうち、少なくとも一つに基づいて優先度を変更してもよい。変形例に係る情報処理装置１は、図５に示す優先度変更部１５によって優先度を変更する。図５は、変形例に係る情報処理装置１の概略を説明するブロック図である。
【００７１】
変形例に係る情報処理装置１は、優先度変更部１５によって変更された優先度に基づいて通知情報の通知値を算出する。そして、変形例に係る情報処理装置１は、複数の通知情報の通知タイミングが競合した場合には、変更された優先度を用い、優先度が高い順に適用し、通知許容値を用いた所定条件を満たす通知情報を、表示装置４０に表示させる。なお、優先度変更部１５は、通知情報の種類毎に補正係数を設定し、変更してもよい。
【００７２】
例えば、優先度変更部１５は、ドライバの運転負荷に基づいて優先度に補正係数を乗算することで優先度を変更する。優先度変更部１５は、ドライバの運転負荷が高い場合には、１．０以上の補正係数を優先度に乗算することで、優先度を変更する。
【００７３】
これにより、変形例に係る情報処理装置１は、例えば、ドライバの運転負荷が高い場合には、優先度が低い通知情報が表示装置４０に表示されることを抑制し、ドライバディストラクションを抑制することができ、例えば、走行の安全性を向上させることができる。
【００７４】
また、例えば、優先度変更部１５は、ＡＤＡＳ（advanced  driver  assistance  system）系の運転支援装置の動作状態に基づいて優先度を変更する。優先度変更部１５は、運転支援装置が動作している場合には、１．０よりも小さい補正係数を優先度に乗算することで、優先度を変更する。例えば、運転支援装置が動作している場合には、優先度変更部１５は、エンタメ情報に関する通知情報の優先度に１．０よりも小さい補正係数を乗算し、エンタメ情報に関する通知情報の優先度を高くする。
【００７５】
これにより、変形例に係る情報処理装置１は、運転支援装置が動作している場合には、運転支援装置が動作していない場合よりも多くの通知情報をユーザに提供することができる。例えば、変形例に係る情報処理装置１は、運転支援装置が動作していない場合には表示されないエンタメ情報を、運転支援装置が動作している場合に表示させることができる。
【００７６】
また、例えば、優先度変更部１５は、通知情報の通知が有効な残り期間を示す有効残量情報に基づいて優先度を変更する。例えば、優先度変更部１５は、店舗情報に関する通知情報に対して、店舗と車両との距離に応じて有効残量情報を変更し、優先度を変更してもよい。この場合、優先度変更部１５は、店舗と車両との距離が短くなるにつれて、店舗情報に関する通知情報の優先度を低くする。
【００７７】
例えば、店舗情報に関する通知情報の優先度が「８０」に設定されており、車両が店舗よりも１ｋｍ手前となる地点に到達した場合には、優先度変更部１５は、補正係数を「１．０」に設定する。また、優先度変更部１５は、車両が店舗よりも１００ｍ手前となる地点に到達した場合には、補正係数を「３．０」に設定する。この場合、店舗情報に関する通知情報の優先度は、「２４０（＝８０×３．０）」となる。そのため、例えば、車両が店舗よりも１ｋｍ手前では、表示装置４０に表示されていた店舗情報に関する通知情報が、車両が店舗よりも１００ｍ手前となる地点に到達した場合には、優先度が低くなることで、他の通知情報よりも優先度が低くなる。または、店舗情報に関する通知情報の通知値が加算された加算値が許容通知値よりも大きくなる。従って、店舗情報に関する通知情報が、表示装置４０によって表示されなくなる。
【００７８】
これにより、変形例に係る情報処理装置１は、有効残量情報に基づいて表示装置４０に表示される通知情報を調整することができ、例えば、ドライバにとって不要な通知情報が表示装置４０に表示されなくなり、煩わしさを低減することができる。
【００７９】
また、変形例に係る情報処理装置１は、ドライバの運転負荷、運転支援装置の動作状態のうち少なくとも一方に基づいて通知許容値を変更してもよい。変形例に係る情報処理装置１は、図６に示す許容値変更部１６によって通知許容値を変更する。図６は、変形例に係る情報処理装置１の概略を説明するブロック図である。
【００８０】
例えば、許容値変更部１６は、ドライバの運転負荷が大きい場合には、ドライバの運転負荷が小さい場合よりも通知許容値を小さくする。また、例えば、許容値変更部１６は、運転支援装置が動作している場合には、運転支援装置が動作していない場合よりも通知許容値を大きくする。
【００８１】
これにより、変形例に係る情報処理装置１は、ドライバの運転負荷、運転支援装置の動作状態に基づいて表示装置４０に表示される通知情報を調整することができる。そのため、変形例に係る情報処理装置１は、例えば、ドライバの運転負荷が大きい場合には、表示装置４０に表示される通知情報を制限し、ドライバディストラクションを抑制することができ、例えば、走行の安全性を向上させることができる。また、変形例に係る情報処理装置１は、例えば、ドライバの運転負荷が小さい場合には、多くの通知情報をユーザに提供することができる。
【００８２】
また、変形例に係る情報処理装置１は、ドライバの運転負荷、運転支援装置の動作状態のうち少なくとも一方に基づいて通知値を変更してもよい。例えば、変形例に係る情報処理装置１は、ドライバの運転負荷、運転支援装置の動作状態のうち少なくとも一方に基づいて優先度に乗算する係数を変更し、通知値を変更してもよい。なお、変形例に係る情報処理装置１は、通知情報の種類毎に係数を変更してもよい。
【００８３】
例えば、変形例に係る情報処理装置１は、ドライバの運転負荷が高い場合には、優先度に乗算する係数を大きくし、通知値を大きくする。これにより、変形例に係る情報処理装置１は、例えば、ドライバの運転負荷が大きい場合には、表示装置４０に表示される通知情報を制限し、ドライバディストラクションを抑制することができ、例えば、走行の安全性を向上させることができる。
【００８４】
また、変形例に係る情報処理装置１は、運転支援装置が動作している場合には、優先度に乗算する係数を小さくし、通知を小さくする。これにより、変形例に係る情報処理装置１は、例えば、運転支援装置が動作している場合には、多くの通知情報をユーザに提供することができる。
【００８５】
また、変形例に係る情報処理装置１は、通知情報の情報量に基づいて通知値を算出してもよい。例えば、変形例に係る情報処理装置１は、通知情報の情報量が多い程、通知値を大きくする。変形例に係る情報処理装置１は、通知情報の情報量に基づいて優先度に乗算する係数を設定する。変形例に係る情報処理装置１は、例えば、通知情報における文字数に基づいて係数を設定し、文字数が多くなるにつれて係数を大きくする。そして、変形例に係る情報処理装置１は、設定された係数を優先度に乗算することで、通知情報の情報量に基づいて通知値を算出する。
【００８６】
これにより、変形例に係る情報処理装置１は、通知情報の情報量に基づいて表示装置４０に表示される通知情報を調整することができる。そのため、変形例に係る情報処理装置１は、例えば、通知情報における文字数が多い場合には、表示装置４０に表示される通知情報を制限し、ドライバディストラクションを抑制することができ、例えば、走行の安全性を向上させることができる。
【００８７】
また、変形例に係る情報処理装置１は、優先度が低い通知情報であっても、加算値が通知許容値以下となる通知情報を選択して表示装置４０に表示させてもよい。
【００８８】
例えば、変形例に係る情報処理装置１は、優先度が１番目、および２番目に高い通知情報の通知値と、優先度が３番目の通知情報の通知値とを加算した加算値が許容通知値よりも大きく、優先度が１番目、および２番目に高い通知情報の通知値と、優先度が４番目の通知情報の通知値とを加算した加算値が許容通知値以下である場合には、優先度が４番目の通知情報を表示装置４０に表示させる。
【００８９】
これにより、変形例に係る情報処理装置１は、利用者へ多くの通知情報を提供することができる。
【００９０】
なお、変形例に係る情報処理装置１は、上記するように、加算値が通知許容値以下となる通知情報を選択する場合に、優先度の順番が低い通知情報が選択されることを制限してもよい。変形例に係る情報処理装置１は、加算値が許容通知値よりも大きくなった通知情報の次に優先度が高い通知情報についてのみ、上記した選択処理を行ってもよい。例えば、変形例に係る情報処理装置１は、優先度が１番目、および２番目に高い通知情報の通知値と、優先度が４番目の通知情報の通知値とを加算した加算値が許容通知値よりも大きい場合には、優先度が５番目以降の通知情報については選択しない。
【００９１】
これにより、変形例に係る情報処理装置１は、優先度が低過ぎる通知情報が表示装置４０に表示されることを抑制することができる。
【００９２】
また、変形例に係る情報処理装置１は、上記した変形例を組み合わせて適用してもよい。
【００９３】
さらなる効果や変形例は、当業者によって容易に導き出すことができる。このため、本発明のより広範な態様は、以上のように表しかつ記述した特定の詳細および代表的な実施形態に限定されるものではない。従って、添付の特許請求の範囲およびその均等物によって定義される総括的な発明の概念の精神または範囲から逸脱することなく、様々な変更が可能である。
【符号の説明】
【００９４】
１    情報処理装置
５    制御部
１０  取得部
１１  判定部
１２  算出部
１３  設定部
１４  通知部
１５  優先度変更部
１６  許容値変更部
３０  車載器
４０  表示装置
【図１】
2019158771.tif 000003
【図２】
2019158771.tif 000004
【図３】
2019158771.tif 000005
【図４】
2019158771.tif 000006
【図５】
2019158771.tif 000007
【図６】
2019158771.tif 000008